(57)【要約】【課題】新たな構造を用いてより省力的に患者を搬送することができる患者搬送装置を提供する。【解決手段】中央軸３２と、中央軸３２に沿って上下移動可能、且つ一時固定することができる昇降部４１と、患者を乗せることができるメイン支持部５とを有し、前記昇降部４１には、前記中央軸３２側から延伸している延伸ユニット４４３を有し、前記メイン支持部５は、前記延伸ユニット４４３により挿し込まれて前記昇降部４１と結合し、前記昇降部４１と共に前記中央軸３２に沿って上下移動できるように構成されていることを特徴とする。【選択図】図１
2011125689.tif 000002
【特許請求の範囲】
【請求項１】
中央軸と、中央軸に沿って上下移動可能、且つ一時固定することができる昇降部と、患者を乗せることができるメイン支持部とを有し、
前記昇降部には、前記中央軸側から延伸している延伸ユニットを有し、
前記メイン支持部は、前記延伸ユニットにより挿し込まれて前記昇降部と結合し、前記昇降部と共に前記中央軸に沿って上下移動できるように構成されていることを特徴とする患者搬送装置。
【請求項２】
下面にホイールが回転可能に取り付けられていて前記ホイールの回転によって地面を移動することができるホイール座を有し、
前記中央軸は、該ホイール座の上面に垂直に固定されていることを特徴とする請求項１に記載の患者搬送装置。
【請求項３】
前記中央軸は外周面に雄ねじが形成されているねじ段部を有しており、
前記昇降部には、前記ねじ段部により挿し込まれている昇降スリーブと、前記昇降スリーブを前記中央軸を軸として正逆回転させることができる操作クランクとを有し、
該昇降スリーブの内周面に前記雄ねじと螺合する雌ねじが形成されていて、前記昇降スリーブが前記操作クランクの操作によって前記中央軸を軸として正逆回転すると、前記昇降部全体を前記中央軸に沿って上下移動させることができることを特徴とする請求項２に記載の患者搬送装置。
【請求項４】
前記昇降部は、前記昇降スリーブにより支持されていると共に前記延伸ユニットが固定されている昇降座と、前記メイン支持部を前記昇降座に一時固定することができる係合手段とを有するように形成されていることを特徴とする請求項３に記載の患者搬送装置。
【請求項５】
前記メイン支持部は座席ユニットと該座席ユニットに固定することができる背もたれユニットとを備え、該座席ユニットと該背もたれユニットとで椅子状に構成されていることを特徴とする請求項１に記載の患者搬送装置。
【請求項６】
前記メイン支持部はストレッチャーとして構成されていることを特徴とする請求項１に記載の患者搬送装置。
【請求項７】
前記メイン支持部は乗せられた患者の上半身を支持することができるサブ支持部を更に有していることを特徴とする請求項１に記載の患者搬送装置。
【請求項８】
前記サブ支持部は、患者の両腕をそれぞれに挿し込むことができる一対の環状ベルトと、前記一対の環状ベルトと連結して、患者を背中から支持することができるバックベルトとを有し、前記中央軸に取り付けられていることを特徴とする請求項７に記載の患者搬送装置。
【請求項９】
下面にホイールが回転可能に取り付けられていて前記ホイールの回転によって地面を移動することができるホイール座を有し、
前記ホイール座の上面に更に２本のサポータビームが垂直に固定されており、前記サブ支持部は、患者の両腕を乗せることができる支持台を有していると共に、前記２本のサポータビームに固定されていることを特徴とする請求項７に記載の患者搬送装置。
【請求項１０】
前記ストレッチャーと前記中央軸とを繋いで、前記昇降部と結合している前記ストレッチャーの安定性を高めることができるサポータベルトを更に有していることを特徴とする請求項６に記載の患者搬送装置。
【発明の詳細な説明】
【技術分野】
【０００１】
本発明は患者搬送装置に関し、特に、より省力的に患者を搬送することができる患者搬送装置に関する。
【背景技術】
【０００２】
図１０に示される従来の患者搬送装置は、体が不自由な患者をシート１７に乗せてから、油圧シリンダ１６により作動される搬送腕１５で吊り上げて、搬送または他の移動手段に移送することができる構成になっている。
【先行技術文献】
【特許文献】
【０００３】
【特許文献１】特開２００８−３６１００号公報
【発明の概要】
【発明が解決しようとする課題】
【０００４】
しかしながら、この従来の患者搬送装置を使用するには、患者をシート１７に乗せるときや、シート１７から患者を降ろすときに、人力で患者を抱き上げなければならないため、労力を要する上、時間がかかり、ある程度の空間も必要である。
また、上記従来の患者搬送装置を柔かい材料からなるシート１７に患者を乗せるので、背骨を支持しなければならない患者の場合、他の人に支えてもらわなければ使用することが出来ず、不便である。
【０００５】
上記問題点を解決するため、本発明は新たな構造を用いてより省力的に患者を搬送することができる患者搬送装置の提供を目的とする。
【課題を解決するための手段】
【０００６】
上記目的を達成すべく、本発明は、中央軸と、中央軸に沿って上下移動可能、且つ一時固定することができる昇降部と、患者を乗せることができるメイン支持部とを有し、前記昇降部には、前記中央軸側から延伸している延伸ユニットを有し、前記メイン支持部は、前記延伸ユニットにより挿し込まれて前記昇降部と結合し、前記昇降部と共に前記中央軸に沿って上下移動できるように構成されていることを特徴とする患者搬送装置を提供する。
上記患者搬送装置において、更に下面にホイールが回転可能に取り付けられていて前記ホイールの回転によって地面を移動することができるホイール座を有し、前記中央軸は、該ホイール座の上面に垂直に固定されるように構成することが好ましい。
前記中央軸は外周面に雄ねじが形成されているねじ段部を有しており、前記昇降部には、前記ねじ段部により挿し込まれている昇降スリーブと、前記昇降スリーブを前記中央軸を軸として正逆回転させることができる操作クランクとを有し、該昇降スリーブの内周面に前記雄ねじと螺合する雌ねじが形成されていて、前記昇降スリーブが前記操作クランクの操作によって前記中央軸を軸として正逆回転すると、前記昇降部全体を前記中央軸に沿って上下移動させることができるように構成することが好ましい。
前記昇降部は、前記昇降スリーブにより支持されていると共に前記延伸ユニットが固定されている昇降座と、前記メイン支持部を前記昇降座に一時固定することができる係合手段とを有するように形成されていることが好ましい。
前記メイン支持部は座席ユニットと該座席ユニットに固定することができる背もたれユニットとを備え、該座席ユニットと該背もたれユニットとで椅子状に構成されていることが好ましい。
前記メイン支持部はストレッチャーとして構成されていることが好ましい。
前記メイン支持部は乗せられた患者の上半身を支持することができるサブ支持部を更に有していることが好ましい。
前記サブ支持部は、患者の両腕をそれぞれに挿し込むことができる一対の環状ベルトと、前記一対の環状ベルトと連結して、患者を背中から支持することができるバックベルトとを有し、前記中央軸に取り付けられていることが好ましい。
前記ホイール座の上面に更に２本のサポータビームが垂直に固定されており、前記サブ支持部は、患者の両腕を乗せることができる支持台を有していると共に、前記２本のサポータビームに固定されていることが好ましい。
前記ストレッチャーと前記中央軸とを繋いで、前記昇降部と結合している前記ストレッチャーの安定性を高めることができるサポータベルトを更に有していることが好ましい。
【発明の効果】
【０００７】
本発明によれば、上記構成により、本発明の患者搬送装置は中央軸に沿って上下移動可能の昇降部と、昇降部と結合できることによって昇降できるメイン支持部とからなるように構成されているので、メイン支持部の構成は自由であり、例えば椅子状やストレッチャーに構成することができ、更に患者の身体の他の部位、例えば両腕や上半身を支えるサブ支持部を取り付けることも可能となり、患者の状態に合わせた支持をすることが可能である上、昇降手段で省力的に患者を持ち上げることが出来、より省力的に患者を搬送することができるので、従来の患者搬送装置より便利な患者搬送装置を提供することができる。
【図面の簡単な説明】
【０００８】
【図１】本発明の患者搬送装置の第１の好ましい実施形態の構成が示されている分解図である。
【図２】本発明の患者搬送装置の一部が組み立てられた側面図である。
【図３】昇降部の分解図である。
【図４】昇降部の組み立てられた状態の断面図である。
【図５】背もたれユニットを座席ユニットに取り付ける部分の断面図である。
【図６】本発明の患者搬送装置の第２の好ましい実施形態の使用状態が示される斜視図である。
【図７】本発明の患者搬送装置の第２の好ましい実施形態におけるサブ支持部６の一部構成が示される分解図である。
【図８】本発明の患者搬送装置の第３の好ましい実施形態の構成が示される斜視図である。
【図９】本発明の患者搬送装置の第３の好ましい実施形態の構成が示される分解図である。
【図１０】従来の患者搬送装置の一例が示される斜視図である。
【発明を実施するための形態】
【０００９】
以下は図面を参照しながら、本発明の各好ましい実施形態について説明する。
図１は本発明の患者搬送装置の第１の好ましい実施形態の構成が示されている分解図であり、図２はその一部が組み立てられた側面図である。
図１及び図２に示されるように、本発明の患者搬送装置の第１の好ましい実施形態は、下面にホイール２２が回転可能に取り付けられていて前記ホイール２２によって地面を移動することができるホイール座２１と、該ホイール座２１の上面に垂直に固定されている中央軸３２及び２本のサポータビーム３１と、中央軸３２に沿って上下移動可能、且つ一時固定することができる昇降部４１と、患者を乗せることができるメイン支持部５と、中央軸３２の上端に取り付けられていてメイン支持部５に乗せられている患者の上半身を支持することができるサブ支持部６とを有している。
【００１０】
更に図３に昇降部４１の分解図が示されており、図４に昇降部４１の組み立てられた状態の断面図が示されている。
図示されているように、中央軸３２は外周面に雄ねじが形成されているねじ段部３２１と、ねじ段部３２１の上方に形成されている管状段部３２２とを有している。昇降部４１は、ねじ段部３２１により挿し込まれている昇降スリーブ４２１と、昇降スリーブ４２１を包むスリーブケース４２４を介して昇降スリーブ４２１により支持されている昇降座４１１と、昇降座４１１に取り付けられている操作クランク４３とを有している。
【００１１】
昇降スリーブ４２１と操作クランク４３は、互いの回転軸が直交するように配置されていると共に、昇降スリーブ４２１の下面の外周縁には斜めに形成されている従動歯４２６が形成され、操作クランク４３は回転軸の周りに従動歯４２６に対応する主動歯４３３が形成されている。この構成によって、操作クランク４３を正逆回転させると昇降スリーブ４２１が前記中央軸３２のねじ段部３２１を軸として正逆回転することができる。
【００１２】
昇降座４１１には２本のサポータビーム３１がそれぞれ挿通され、昇降座４１１が中央軸３２に対して回転しないように構成されており、昇降スリーブ４２１とスリーブケース４２４の間に一対のベアリング４２２が昇降スリーブ４２１の上面及び下面それぞれ配置されており、昇降スリーブ４２１の内周面にはねじ段部３２１の雄ねじと螺合する雌ねじ４２５が形成されている。この構成により、操作クランク４３の操作によって昇降スリーブ４２１が中央軸３２を軸として正逆回転すると、昇降部４１全体が中央軸３２のねじ段部３２１に沿って上下移動することができる。
【００１３】
更に、図１と図２に示されているように、昇降部４１の昇降座４１１は、中央軸３２側から操作クランク４３に対して反対方向へ延伸するよう棒状に形成された一対の延伸ユニット４４３と、メイン支持部５を昇降座４１１に一時固定することができる係合手段４５とを有している。
【００１４】
この実施形態において、メイン支持部５は座席ユニット５１と該座席ユニット５１に固定することができる背もたれユニット５２とを備えており、座席ユニット５１の上面に患者を乗せることができるように形成されている。座席ユニット５１は中央当りに開口を有する第１の板状部５００と、第１の板状部５００の中央開口をちょうど補填することができる第２の板状部５４とからなり、第２の板状部５４は第１の板状部５００に取り付けて固定したり、取り外したりすることができるように構成されている。
【００１５】
第１の板状部５００の底面に、昇降部４１の延伸ユニット４４３を受け入れることができる挿し込み通路５１５と、係合手段４５に係合する下方開口の係合孔５１０とが形成されている。
図３に示されるように、係合手段４５は、軸棒４５２で昇降座４１１の下面に揺動可能に枢接されており、係合端４５３を上方に押し当てるように付勢されている。また、係合端４５３の反対側にある操作端４５４が上方に押されると、係合端４５３が下方に回動することができる。
【００１６】
上記構成により、昇降部４１が有する一対の延伸ユニット４４３がメイン支持部５の挿し込み通路５１５に挿し込まれて、係合孔５１０が係合手段４５の係合端４５３に対応する位置に届くと、係合端４５３が係合孔５１０に嵌め込まれることによってメイン支持部５を昇降部４１に一時取り付けて結合させることができ、昇降部４１と共に中央軸３２に沿って上下移動させることができる。
【００１７】
更に、図５では背もたれユニット５２を座席ユニット５１に取り付ける部分の断面図が示されている。図１及び図５に示されるように、背もたれユニット５２には取付けアーム５２２が形成されており、取付けアーム５２２の先端に第１の取付け孔５３が形成されている。更に、座席ユニット５１の第１の板状部５００の側縁には、第１の取付け孔５３に対応する第２の取付け孔５１６が形成されており、取付けボルト５３４を用いて第１の取付け孔５３を挿通してから第２の取付け孔５１６にねじ込むことによって、背もたれユニット５２を座席ユニット５１に取り付けることができる。更に、取付けボルト５３４を逆回転させて第２の取付け孔５１６から取り出すと、背もたれユニット５２を座席ユニット５１から取り外すことができる。この構成によって、取付けボルト５３４一つだけで、背もたれユニット５２を座席ユニット５１に取り付けたり、取り外したりすることができる。
【００１８】
また、図１と図２に示されるように、中央軸３２は更に管状段部３２２内に摺動可能に挿し込まれている伸縮段部３２３と、管状段部３２２の上端に配置されている締付け手段３２４とを有している。締付け手段３２４を用いて伸縮段部３２３を締め付けることによって、伸縮段部３２３の管状段部３２２に対する摺動を制限することができる。更に、伸縮段部３２３の外周面に一対の取付け突起３２６が形成されている。
【００１９】
この実施形態において、サブ支持部６は患者の胸部を支持することができる支持板６４と、支持板６４から両側へ延伸する一対の支持アーム６３の先端にそれぞれ形成され、患者の両腕を支持したり、または患者が掴んだりすることができる一対の支持棒６３１と、患者の両腕を固定できる一対の環状ベルト６２１と、一対の環状ベルト６２１を繋いでいて、患者を背中から支持することができるバックベルト６２２とを有している。
【００２０】
支持板６４には取り付けブロック６１が形成されており、前記一対の支持アーム６３がこの取り付けブロック６１から延伸するように形成されていると共に、取り付けブロック６１には下方開口の凹陥部６１３が形成されており、この凹陥部６１３に伸縮段部３２３の取付け突起３２６を嵌めることによって、サブ支持部６を中央軸３２に取り付けることができると共に、伸縮段部３２３の管状段部３２２に対する摺動でサブ支持部６の高さを調整することができる。
【００２１】
図６、図７に本発明の患者搬送装置の第２の好ましい実施形態の構成が示されており、図示されるように、本発明の患者搬送装置の第２の好ましい実施形態は第１の実施形態とほぼ同じ構成を有しており、以下ではその相違点、即ちサブ支持部６の構成について説明する。
図６に示されるように、この実施形態におけるサブ支持部６は、患者の両腕を乗せることができる支持台６６を有している。支持台６６は、サポータビーム３１の上端に固定されている。更に、図７に示されるように、この実施形態において中央軸３２の伸縮段部３２３により支持される取り付けブロック６１と、患者の胸部を支持するＴ字形の支持板６４Ａとは枢接関係になっている。
【００２２】
更に、図８、図９に本発明の患者搬送装置の第３の好ましい実施形態の構成が示されており、図示されるように、本発明の患者搬送装置の第３の好ましい実施形態は第１の実施形態とほぼ同じ構成を有しており、以下ではその相違点、即ちメイン支持部５の構成について説明する。
図示されるように、この実施形態におけるメイン支持部５は椅子状ではなく、ストレッチャー５５として構成されている。ストレッチャー５５が有する一対のサイドサポータ５５１には、昇降座４１１の延伸ユニット４４３に対応して、それぞれ延伸ユニット４４３が挿通することができる挿通孔５６１が形成されている。この挿通孔５６１は第１の実施形態における挿し込み通路５１５と同じ役割を果たしている。
【００２３】
更に、図８に示されているように、この実施形態ではストレッチャー５５と中央軸３２の上端に取り付けられたサブサポータ６０とを繋ぐことで、昇降部４１と結合しているストレッチャー５５の安定性を高めることができるサポータベルト６７を更に有している。
【産業上の利用可能性】
【００２４】
上記構成により、本発明の患者搬送装置は中央軸に沿って上下移動可能の昇降部と、昇降部と結合することによって昇降できるメイン支持部とからなるように構成されているので、メイン支持部を自由に構成でき、例えば椅子状やストレッチャーに構成することができ、更に患者の身体の他の部位、例えば両腕や上半身を支えるサブ支持部を取り付けることも可能となり、患者の状態に合わせた支持をすることが可能である上、昇降手段で省力的に患者を持ち上げることが出来、より省力的に患者を搬送することができるので、従来の患者搬送装置より便利な患者搬送装置を提供することができる。
【符号の説明】
【００２５】
２１  ホイール座
２２  ホイール
３１  サポータビーム
３２  中央軸
３２１  ねじ段部
３２２  管状段部
３２３  伸縮段部
３２４  締付け手段
３２６  取付け突起
４１  昇降部
４１１  昇降座
４２１  昇降スリーブ
４２２  ベアリング
４２４  スリーブケース
４２６  従動歯
４３  操作クランク
４３３  主動歯
４４３  延伸ユニット
４５  係合手段
４５２  軸棒
４５３  係合端
４５４  操作端
５  メイン支持部
５００  第１の板状部
５１  座席ユニット
５１０  係合孔
５１５  挿し込み通路
５１６  第２の取付け孔
５２  背もたれユニット
５２２  取付けアーム
５３  第１の取付け孔
５３４  取付けボルト
５４  第２の板状部
５５  ストレッチャー
５５１  サイドサポータ
５６１  挿通孔
６  サブ支持部
６０  サブサポータ
６１  ブロック
６１３  凹陥部
６２１  環状ベルト
６２２  バックベルト
６３  支持アーム
６３１  支持棒
６４  支持板
６４Ａ  支持板
６６  支持台
６７  サポータベルト
【図１】
2011125689.tif 000003
【図２】
2011125689.tif 000004
【図３】
2011125689.tif 000005
【図４】
2011125689.tif 000006
【図５】
2011125689.tif 000007
【図６】
2011125689.tif 000008
【図７】
2011125689.tif 000009
【図８】
2011125689.tif 000010
【図９】
2011125689.tif 000011
【図１０】
2011125689.tif 000012